(57)【特許請求の範囲】
【請求項１】
原水入口、処理水出口及び濃縮水出口を有する容器と、
被処理水を透過水と濃縮水とに分離するための中空糸膜であって、該容器内に上下方向に配置された複数の中空糸膜と、
該中空糸膜の上端部を固定しており、該容器内の上部に配置された上端固定部と、
該上端固定部の上側に形成され、各中空糸膜の内部が連通した透過水室と、
該中空糸膜の上部を洗浄するための洗浄部と、
を有する中空糸膜モジュールにおいて、
該洗浄部は、該上端固定部を上下方向に貫通する１又は複数のノズルと、該ノズルの下端部に設けられた洗浄水噴出孔とを有する中空糸膜モジュールであって、
前記濃縮水出口は前記容器の側壁の上部に設けられ、
前記噴出孔は、該濃縮水出口の上縁と下縁との間の高さに位置することを特徴とする中空糸膜モジュール。
【請求項２】
請求項１において、各ノズルは放射方向に洗浄水を噴出するように複数の噴出孔を有することを特徴とする中空糸膜モジュール。
【請求項３】
請求項２において、各噴出孔は略水平方向に洗浄液を噴出するように形成されていることを特徴とする中空糸膜モジュール。
【請求項４】
請求項２において、各噴出孔は斜め上方向に洗浄液を噴出するように形成されていることを特徴とする中空糸膜モジュール。
【請求項５】
請求項１ないし４のいずれか１項において、前記洗浄部は、前記容器の側壁を貫通して前記透過水室内に延設された洗浄水配管を有し、前記複数のノズルは該洗浄水配管に接続されていることを特徴とする中空糸膜モジュール。
【請求項６】
請求項１ないし５のいずれか１項の中空糸膜モジュールを洗浄する方法であって、
前記複数のノズルの噴出孔から洗浄液を噴出するシャワー洗浄を行う第１洗浄工程と、
前記原水入口から気体を吹き込むバブリング洗浄、及び前記処理水出口から逆洗水を供給する逆洗浄の少なくとも一方を行う第２洗浄工程と、
該原水入口から原水を供給するフラッシング洗浄を行う第３洗浄工程と、
を備えることを特徴とする中空糸膜モジュールの洗浄方法。
【請求項７】
請求項６において、前記第２洗浄工程では、バブリング洗浄、逆洗浄及びシャワー洗浄を行うことを特徴とする中空糸膜モジュールの洗浄方法。
【発明の詳細な説明】
【技術分野】
【０００１】
本発明は、中空糸膜モジュールに関し、特に、膜に捕捉された濁質を効率よく洗浄できる中空糸膜モジュール及びその洗浄方法に関する。
【背景技術】
【０００２】
中空糸膜モジュールを用いて汚濁性水の濾過処理を行う場合、中空糸膜に濁質が付着すると、中空糸膜モジュールの濾過寿命が短くなったり、濾過流量が低下したりする。そこで、例えば、特許文献１には、被処理液がシート状中空糸膜に沿って上昇し、シート状中空糸膜の上部にて略水平方向の流れに変わり、続いてシート状中空糸膜の中空糸膜間を流れるようにするための手段を設け、中空糸膜間に繊維状物や毛髪等のし渣が絡み付くことを防止した中空糸膜モジュールが開示されている。
【０００３】
また、特許文献２には、中空糸膜束が上側固定部の径方向中心を中心とする放射線上に配置され、この上側固定部が、エアスクラビング用の上昇気泡及び上昇気泡による被処理水の上昇流を外方へ導く水流方向変換部材を構成する逆円錐形下板を備え、中空糸膜束根本近辺での夾雑物の堆積を起こり難くした中空糸膜モジュールが開示されている。
【０００４】
しかし、特許文献１、２に開示された中空糸膜モジュールは、流体の流れを変えるだけであって、濁質の付着を完全に抑制することはできなかった。また、濁質が一旦付着してしまうと、付着の進行を止めることができなかった。
【０００５】
特許文献３には、保護筒の上端部の樹脂隔壁近傍の中空糸部分を気体不透過性にし、樹脂隔壁直下に安定な空気溜りを作って、樹脂隔壁近傍の中空糸膜部分への固形分の付着を防止する中空糸膜モジュールが開示されている。しかし、この構成では中空糸膜の膜面積が減少するという問題があった。また、中空糸膜の乾燥を抑制する必要があった。
【０００６】
特許文献４には、中空糸膜編織物からなる濾過スクリーンの上端を上部固定部材で固定し、下端を下部固定部材で固定し、上部固定部材に設けられた空気供給口から供給したスクラビング用空気を、下部固定部材の近傍に設けられた空気放出手段を介して濾過スクリーンの根本部分に向かって空気を噴射する構成が開示されている。噴射されたスクラビング用空気は気泡を形成し、中空糸膜編織物の表面を洗浄しながら上昇する。しかし、この構成では、濾過スクリーンの下方から気体を供給するだけであって、濁質が残りやすい濾過スクリーンの上端部を効率的に洗浄することができなかった。
【０００７】
特許文献５には、中空糸膜モジュールが、筒型容器の中心付近に配置された軸方向に伸びる芯管を備え、濾過時とは逆の流れに水を流す逆洗洗浄と、芯管壁面に設けられた複数の穴から半径方向に水を流す逆流洗浄とを行うことが開示されている。しかし、逆洗洗浄では中空糸膜全体に洗浄水を流し、逆流洗浄では芯管近傍（容器中心部）に洗浄水を流すため、濁質が残りやすい中空糸束の上端部を効果的に洗浄することができなかった。
【０００８】
特許文献６には、中空糸束の中央部に、筒状ケースの軸方向に沿って伸びる中空柱体の洗浄用供給管が挿入され、この洗浄用供給管から気体又は気液を筒状ケースの加圧室内に吹き出すことで、中空糸の膜面に付着したゲル状物質を除去する膜濾過モジュールが開示されている。この膜濾過モジュールでは、洗浄用供給管の近傍に位置する、中空糸束の中央部は効果的に洗浄できるが、上下方向の端部を効果的に洗浄することができなかった。また、原液入口が筒状ケースの壁面上部に設けられ、濃縮液出口が壁面下部（底部）に設けられているため、気体溜まりが生成されるという問題があった。
【先行技術文献】
【特許文献】
【０００９】
【特許文献１】特許第４１８３１６０号公報
【特許文献２】特開２０１１−６２６９６号公報
【特許文献３】実開平３−１５６２８号公報
【特許文献４】特開２０００−５１６７０号公報
【特許文献５】特開２００２−２０４９３０号公報
【特許文献６】特開平５−１５４３５６号公報
【発明の概要】
【発明が解決しようとする課題】
【００１０】
中空糸の上端固定部近傍には濁質が残りやすいが、処理水側から水を供給して給水側から排出する逆洗処理や、給水側から空気を供給するバブリング洗浄ではこの濁質を効率よく除去できず、処理水量の低下や中空糸の糸切れが生じていた。
【００１１】
本発明は、以上の実情に鑑みてなされたものであり、中空糸の上端固定部近傍の濁質を効率よく除去できる中空糸膜モジュール及びその洗浄方法を提供することを課題とする。
【課題を解決するための手段】
【００１２】
本発明の中空糸膜モジュールは、原水入口、処理水出口及び濃縮水出口を有する容器と、被処理水を透過水と濃縮水とに分離する複数の中空糸膜と、該中空糸膜に臨む透過水室と、該中空糸膜の上端部を固定し、該容器内にて該透過水室を区画する上端固定部と、を有する中空糸膜モジュールであって、該上端固定部を貫通する１又は複数のノズルを有し、該ノズルの下端部に設けられた噴出孔から洗浄水を噴出する洗浄部を備えることを特徴とする。
【００１３】
前記濃縮水出口は前記容器の側壁に設けられ、前記噴出孔と該濃縮水出口は略同一高さに位置する。
【００１４】
各ノズルは放射方向に洗浄液を噴出するように複数の噴出孔を有することが好ましい。各噴出孔は、略水平方向に洗浄液を噴出するように形成されてもよく、斜め上方向に洗浄液を噴出するように形成されてもよい。
【００１５】
前記洗浄部は、前記容器の側壁を貫通して前記透過水室に延びる洗浄水配管を有し、前記複数のノズルは該洗浄水配管から分岐していることが好ましい。
【００１６】
本発明の中空糸膜モジュールの洗浄方法は、上記中空糸膜モジュールを洗浄する方法であって、前記複数のノズルの噴出孔から洗浄液を噴出するシャワー洗浄を行う第１洗浄工程と、前記原水入口から気体を吹き出すバブリング洗浄及び前記処理水出口から逆洗水を供給する逆洗浄の少なくとも一方を行う第２洗浄工程と、該原水入口から原水を供給するフラッシング洗浄を行う第３洗浄工程と、を備えることを特徴とする。
【００１７】
前記第２洗浄工程において、バブリング洗浄、逆洗浄及びシャワー洗浄を行うことが好ましい。
【発明の効果】
【００１８】
本発明によれば、上端固定部を貫通する複数のノズルの噴出孔から洗浄水を噴出することで、上端固定部近傍の濁質に対し集中的に洗浄液を噴きつけ、濁質を効率よく洗浄し除去することができる。濁質を除去することで、中空糸膜モジュールの透過流束の低減を緩和することができる。また、中空糸膜への応力を軽減し、中空糸膜の糸切れを防止できる。
【００１９】
また、噴出孔と濃縮水出口を略同一高さにすることで、噴出孔からの洗浄水の噴出により除去された濁質を効率よく排出できる。
【００２０】
噴出孔が略水平方向に洗浄液を噴出することで、洗浄液の到達範囲を拡げ、広範囲の濁質を除去することができる。また、噴出孔が斜め上方向に洗浄液を噴出することで、洗浄液を上端固定部により近い位置まで噴きつけて濁質を除去することができる。
【００２１】
洗浄部が、容器の側壁を貫通して透過水室に延びる洗浄水配管を有し、複数のノズルがこの洗浄水配管から分岐している構成とした場合、洗浄部の設置による中空糸膜の膜面積減少を抑えることができる。
【００２２】
中空糸膜モジュールの洗浄の際に、バブリング洗浄、逆洗浄及びシャワー洗浄を行うことで、上端固定部近傍のみでなく、中空糸膜の全体を効率よく洗浄することができる。
【図面の簡単な説明】
【００２３】
【図１】本発明の実施形態に係る中空糸膜モジュールの模式図である。
【図２】同実施形態に係る中空糸膜モジュールの要部断面図である。
【図３】（ａ）〜（ｃ）は噴出孔の配置例を示す図である。
【図４】（ａ）〜（ｃ）は噴出孔の形成例を示す図である。
【図５】（ａ）〜（ｄ）は実施例１における各処理の水の流れを示す図である。
【図６】変形例による中空糸膜モジュールの模式図である。
【図７】（ａ）〜（ｄ）は比較例１における各処理の水の流れを示す図である。
【図８】実施例１及び比較例１における透過流束の測定結果を示すグラフである。
【発明を実施するための形態】
【００２４】
以下に本発明の実施の形態を詳細に説明する。
【００２５】
図１は、本実施形態に係る中空糸膜モジュールの構成を示す模式図であり、図２は中空糸膜モジュールの一部（洗浄部１０周辺）を示す模式的な断面図である。図１に示すように、中空糸膜モジュールは、円筒の軸心線方向を上下方向（この実施形態では鉛直方向）にして配置された容器１を備えている。この容器１内に、複数の中空糸膜２が配置されている。中空糸膜２は、その上端が上端固定部としての合成樹脂製ポッティング部３Ａで固定され、下端がポッティング部３Ｂ内に埋設されて封止されている。ポッティング部３Ａ、３Ｂの合成樹脂としては例えばエポキシ樹脂を用いることが出来る。
【００２６】
図１では図面を明瞭とするために中空糸膜２を３本としているが、実際には中空糸膜２は多数本配置されている。本実施形態では、中空糸膜２を有する中空糸膜モジュールについて説明するが、管状膜を用いた膜モジュールであればよい。
【００２７】
ポッティング部３Ａの上側には透過水室７が区画形成されている。中空糸膜２の上端側はポッティング部３Ａを貫通しており、その上端の開口は透過水室７に臨み、中空糸膜２の内部は透過水室７に連通している。
【００２８】
ポッティング部３Ａは例えば円盤状であり、その外周面又は外周縁部が容器１の内面に水密的に接している。ポッティング部３Ｂと容器１の内壁との間には原水が通過するスペースがあいている。容器１の底部には原水（被処理水）の入口５が設けられ、容器１の頂部には処理水（膜透過水）の出口４が設けられている。また、容器１の側面の上部には濃縮水出口６が設けられている。濃縮水出口６はポッティング部３Ａの下面近傍に設けられている。ポッティング部３Ａから濃縮水出口６の上縁までの距離は０〜２０ｍｍ、特に０〜５ｍｍ程度が好ましい。
【００２９】
中空糸膜モジュールは、ポンプＰ１により、原水配管Ｌ１を介して給水入口５から原水が供給される。原水配管Ｌ１から空気導入用配管Ｌ２が分岐している。原水配管Ｌ１に設けられたバルブＶ１と空気導入用配管Ｌ２に設けられたバルブＶ２の開閉を切り替えることで、容器１への原水／空気の供給を切り替えることができる。バルブＶ１を閉じ、バルブＶ２を開けて空気を供給することで、容器１の底から気泡が吹き上がり、バブリング洗浄を行うことができる。
【００３０】
処理水出口４には処理水取出配管Ｌ３が接続されており、処理水取出配管Ｌ３を介して処理水（膜透過水）が排出される。処理水取出配管Ｌ３には、処理水取出配管Ｌ３に設けられたバルブＶ３と処理水出口４との間の位置に逆洗水配管Ｌ４が接続されている。バルブＶ３を閉じて、ポンプＰ２により逆洗水配管Ｌ４を介して処理水出口４から容器１に逆洗水を流すことで、中空糸膜２の逆洗を行うことができる。逆洗水には原水又は処理水を用いる。洗浄に伴う排水は濃縮水出口６からブローラインＬ５を介して排出される。
【００３１】
この中空糸膜モジュールによる濾過処理では、給水入口５から流入した水のうち、中空糸膜２を透過した透過水が処理水として処理水出口４から取り出され、膜を透過しなかった濃縮水が濃縮水出口６から排出される。このように、本実施形態による中空糸膜モジュールは、中空糸膜２の外側に原水をクロスフロー方式で通水する外圧式である。
【００３２】
この中空糸膜モジュールには、ポッティング部３Ａの下方に位置する中空糸膜２の上部、すなわちポッティング部３Ａ（上端固定部）の近傍の中空糸膜２を洗浄する洗浄部１０が設けられている。
【００３３】
洗浄部１０は、容器１内に洗浄水を供給する洗浄水配管１１と、洗浄水配管１１から分岐する複数のノズル１２とを備えている。洗浄水配管１１は、容器１の外部から容器側壁を貫通して透過水室７内に略水平方向に延びている。ノズル１２は、洗浄水配管１１からポッティング部３Ａを貫通して略垂直方向（容器１の軸方向）下向きに延び、先端部（下端部）には洗浄水を噴出する噴出孔１２Ａ（図２参照）が設けられている。
【００３４】
図１に示す中空糸膜モジュールを用いて濾過処理を行うと、ポッティング部３Ａ近傍の中空糸膜２に濁質が蓄積してくる。この箇所の濁質は、洗浄部１０の噴出孔１２Ａから洗浄水を噴出することで、除去することができる。中空糸膜２から除去（剥離）された濁質は濃縮水出口６からブローラインＬ５を介して排出される。
【００３５】
複数のノズル１２は、ポッティング部３Ａを平面視した状態において偏りなく配置されるのが好ましく、例えば格子状又は多重円環状に配置される。また、容器１の径方向中心を中心とする放射線上にノズル１２を配置してもよい。ノズル１２の配置はこれらに限定されない。ノズル１２の配置密度は、ポッティング部３Ａの単位平面積（１ｍ２）当たり５０〜２００個、特に１００〜１５０個程度が好ましい。
【００３６】
ノズル１２は先端（下端）が閉じた円管であり、先端部の側周面に複数の噴出孔１２Ａが形成されている。各ノズル１２における噴出孔１２Ａの数は任意であるが、周方向に４〜８個程度、等間隔に設けられることが好ましい。図３（ａ）では、放射方向に洗浄水を噴出するように、ノズル１２の先端部側周面に等間隔に４個形成されている。
【００３７】
噴出孔１２Ａは、濃縮水出口６の上縁と下縁との間の高さに配置されることが好ましい。このような構成にすることにより、噴出孔１２Ａから噴出された洗浄水により中空糸膜２から除去された濁質が、濃縮水出口６から排出されやすくなる。
【００３８】
噴出孔１２Ａは上下方向に間隔をあけて複数段に設けてもよく、例えば、図３（ｂ）に示すように、４個の噴出孔１２Ａを２段に（合計８個）設けてもよい。このような構成にすることで、洗浄領域を上下方向に拡げることができる。また、図３（ｃ）に示すように、上段の噴出孔１２Ａと下段の噴出孔１２Ａとをずらして互い違い（千鳥状）に配置してもよい。このような構成にすることで、洗浄領域を水平方向に拡げることができる。
【００３９】
噴出孔１２Ａは、図４（ａ）に示すように洗浄液を水平方向に噴出するように形成されていてもよい。図４（ｂ）に示すように洗浄液を斜め上方に向けて噴出するように形成されていてもよい。図４（ｂ）に示すように、洗浄液を斜め上方に向けて噴出することで、ポッティング部３Ａの下面に近い箇所を洗浄しやすくなる。図４（ｃ）に示すように、噴出孔１２Ａは、洗浄液を斜め下方に向けて噴出するように形成されていてもよい。また、噴出孔１２Ａを上下方向に複数段設ける場合、上段側では洗浄液を水平又は斜め上方に噴出し、下段側では洗浄液を水平又は斜め下方に噴出するようにしてもよい。このような構成にすることで、洗浄領域を上下方向にさらに拡げることができる
【００４０】
噴出孔１２Ａの形状は特に制限はないが、円形、楕円形、多角形等である。
【００４１】
各ノズル１２は、内径５ｍｍ〜２０ｍｍ、特に６ｍｍ〜１０ｍｍ、外径６ｍｍ〜２２ｍｍ、特に８ｍｍ〜１２ｍｍであることが好ましい。噴出孔１２Ａの径は０．１ｍｍ〜１．５ｍｍ特に０．５ｍｍ〜１．０ｍｍであることが好ましい。噴出孔１２Ａはポッティング部３Ａの下面から１０ｍｍ〜５０ｍｍ、好ましくは２０ｍｍ〜３０ｍｍの位置に配置される。なお、図２のように、噴出孔１２Ａと濃縮水出口６とを同程度の高さに配置することが好ましく、このように構成すれば、中空糸膜２から除去した濁質を効率よく濃縮水出口６から排出することができる。
【００４２】
中空糸膜２は特に制限はないが、通常、内径０．３〜１．０ｍｍ、外径０．５〜１．５ｍｍ、有効長さ１００〜２００ｍｍ程度のものが用いられる。このような中空糸膜２が容器１内に５０〜２００本装填された全膜面積０．０２〜０．１ｍ２程度のものが適当である。中空糸膜２の膜素材についても特に制限はないが、ＰＶＤＦ（ポリフッ化ビニリデン）、ポリエチレン、ポリプロピレン等を用いることができる。
【００４３】
このように構成された中空糸膜モジュールの運転方法について図５を参照して次に説明する。
【００４４】
この中空糸膜モジュールによる濾過処理では、図５（ａ）の通り、バルブＶ１、Ｖ３を開とし、ポンプＰ１を作動させる。給水入口５から流入した水のうち、中空糸膜２を透過した透過水が処理水として処理水出口４から取り出され、膜を透過しなかった濃縮水が濃縮水出口６から排出される。この濾過処理を継続して行うと、ポッティング部３Ａ近傍の中空糸膜２に濁質が蓄積してくる。そこで、濾過処理を所定時間行った後、又は透過水量が減少してきた場合、洗浄部１０の噴出孔１２Ａから洗浄水を噴出させ、ポッティング部３Ａ近傍の濁質を集中的に洗浄し、除去する。中空糸膜２に捕捉された濁質が効率よく洗浄される。
【００４５】
この洗浄処理は、次に説明する第１洗浄工程、第２洗浄工程及び第３洗浄工程を行う。第１洗浄工程では、洗浄部１０を用いたシャワー洗浄を行う。このシャワー洗浄では、図５（ｂ）の通り、バルブＶ１、Ｖ２、Ｖ３を閉とし、洗浄水配管１１から洗浄水を各ノズル１２に供給し、噴出孔１２Ａから噴出させる。剥離された濁質を含む洗浄排水はブローラインＬ５を介して排出される。
【００４６】
この第１洗浄工程の後、第２洗浄工程を行う。第２洗浄工程では少なくともバブリング洗浄及び逆洗浄を行う。バブリング洗浄では、図５（ｃ）の通り、バルブＶ２を開とし、空気を容器１の下部に吹き込み、バブリングを行う。逆洗浄では、バルブＶ３を開とし、ポンプＰ２を作動させ、逆洗水を透過水室７を介して中空糸膜２内に送り込む。洗浄排水はブローラインＬ５を介して系外に排出される。バブリング洗浄及び逆洗浄を順に行ってもよく、逆の順番で行ってもよく、同時に行ってもよい。
【００４７】
また、この第２洗浄工程では、バブリング洗浄、逆洗浄及びシャワー洗浄を行ってもよい。このバブリング洗浄、逆洗浄及びシャワー洗浄の順番は任意であり、いずれの順番で行ってもよい。また、いずれか２つの洗浄を同時に行ってもよく、３つの洗浄を同時に行ってもよい。
【００４８】
この第２洗浄工程の後、第３洗浄工程に移り、原水配管Ｌ１を介して原水を流してフラッシング洗浄を行う。このフラッシング洗浄では、図５（ｄ）の通り、バルブＶ１を開とし、ポンプＰ１を作動させ、原水を容器１内に送り込み、洗浄排水をブローラインＬ５から排出する。なお、このフラッシング洗浄における原水の供給は連続して行ってもよく、断続して繰り返し行ってもよい。このフラッシング洗浄後、濾過処理を再開する。
【００４９】
本実施形態によれば、洗浄部１０の噴出孔１２Ａから洗浄水を噴出することで、残存しやすい上端固定部近傍の濁質を効率よく洗浄し除去することができる。濁質を除去することで、中空糸膜モジュールの透過流束の低減が緩和される。また、中空糸膜２への応力を軽減し、中空糸膜２の糸切れを防止できる。
【００５０】
本実施形態では、洗浄部１０の洗浄水配管１１をポッティング部３Ａより高い位置に設け、洗浄部１０のうちノズル１２の先端部のみがポッティング部３Ａ下の処理水室に配設されるため、ポッティング部３Ａより低い位置に洗浄水配管１１を設ける場合と比較して、洗浄部１０の設置に伴う中空糸膜の膜面積減少を抑えることができる。
【００５１】
また、洗浄部１０によるシャワー洗浄を、逆洗及び／又はバブリング洗浄と同時に行うことで、中空糸膜２の全体を効果的に洗浄することができる。
【００５２】
洗浄部１０による洗浄は、濾過処理時に行ってもよい。これにより、上端固定部近傍の中空糸膜２への濁質の付着を抑制できる。
【００５３】
上記実施形態では、中空糸膜２の両端がポッティング部３Ａ、３Ｂで固定されていたが、中空糸膜２の下端を閉塞し、上端のみをポッティング部３Ａで固定するようにしてもよい。
【００５４】
上述した中空糸膜の固定部近傍の濁質を洗浄する洗浄部は、浸漬型の中空糸膜モジュールにも適用することができる。浸漬型の中空糸膜モジュールでは、活性汚泥槽や沈殿槽等の被処理液槽中に、両端が集水部材に接続されたモジュールが、中空糸膜の長さ方向が略垂直又は略水平となるように配設される。浸漬型中空糸膜モジュールでは、被処理液槽の底部から噴き出される気泡による気液混合の上昇流により中空糸膜面を洗浄するが、この手法では中空糸膜の端部（集水部材との接続部）近傍の洗浄が困難である。そこで、上述した噴出孔１２Ａが形成されたノズル１２を有する洗浄部１０と同様の構成の洗浄部を被処理液槽に設置し、ノズルの噴出孔を中空糸膜の端部近傍に配置することで、濁質を効率よく除去することができる。
【００５５】
上記実施形態では、ポッティング部３Ｂと容器１の内面との間に原水が通過するスペースをあけていたが、図６に示すように、円盤状のポッティング部３Ｂの外周面が容器１の内面に水密的に接していてもよい。この場合、ポッティング部３Ｂの下側が流入室となり、ポッティング部３Ａとポッティング部３Ｂとの間が処理室となる。ポッティング部３Ｂには、流入室と処理室とを連通する孔８が上下方向に貫設されている。孔８は、ポッティング部３Ｂの盤面の全域にわたって均等に配置されている。原水は、入口５、流入室及び孔８を通って処理室に流入する。原水が処理室内を上昇する間に、水の一部が中空糸膜２を透過し、透過水が透過水室７を経て出口４から取り出される。
【実施例】
【００５６】
［実施例１］
洗浄部１０が設けられた図１、２に示す中空糸膜モジュールに、図５（ａ）のフローに従って原水を２６分間通水して濾過処理を行った。原水として、野木町水に塩化第二鉄（ＦｅＣｌ３）を１０００ｍｇ／Ｌの濃度となるように添加し、ｐＨを６〜７に調整したものを使用した。中空糸膜モジュールの構成は次の通りである。
容器１の内径：３６ｍｍ
容器１の高さ：５９６ｍｍ
中空糸：内径０．９ｍｍ、外径１．３ｍｍ、有効長さ５００ｍｍのポリスルホン膜
中空糸本数：１９７本
ノズル１２の数：１本
ノズル１２の構造：図３（ａ）のもの（内径５ｍｍ、噴出孔口径１．０ｍｍ）
噴出孔１２Ａの上下方向位置：濃縮水出口６の中心付近と同レベル
【００５７】
濾過処理後、洗浄部１０によるシャワー洗浄を２分間行った（第１洗浄処理）。シャワー洗浄の洗浄水には野木町水を用い、０．１５Ｌ／ｍｉｎにて給水した。第１洗浄処理後、シャワー洗浄、逆洗浄及びバブリング洗浄を同時に１分間行った（第２洗浄処理）。シャワー洗浄の給水量は０．１５Ｌ／ｍｉｎであり、逆洗浄の給水量は０．１５Ｌ／ｍｉｎであり、バブリング用空気の供給量は１．０ＮＬ／ｍｉｎである。逆洗浄の給水としてはモジュール透過水を用いた。
【００５８】
第２洗浄処理後、フラッシング洗浄を１分間行った（第３洗浄処理）。各処理における水／空気の流れを図５（ａ）〜（ｄ）の太線で示す。２６分間の濾過処理と、第１〜第３洗浄処理とを交互に行いながら、中空糸膜モジュールの透過流束の経時変化を測定した。測定結果を図８に示す。
【００５９】
［比較例１］
洗浄部１０が設けられていないこと以外は実施例１と同一構成の中空糸膜モジュールに、実施例１と同一の原水を２６分間通水して濾過処理を行った。
【００６０】
濾過処理後、逆洗浄を２分間行った（第１洗浄処理）。第１洗浄処理後、逆洗浄及びバブリング洗浄を同時に１分間行った（第２洗浄処理）。逆洗浄の給水量及びバブリング用空気の供給量は実施例１と同じとし、逆洗浄の給水としてはモジュール透過水を用いた。第２洗浄処理後、フラッシング洗浄を１分間行った（第３洗浄処理）。各処理における水／空気の流れを図７（ａ）〜（ｄ）の太線で示す。濾過処理と、第１〜第３洗浄処理とを交互に行いながら、中空糸膜モジュールの透過流束の経時変化を測定した。測定結果を図８に示す。
【００６１】
図８の通り、洗浄部１０によるシャワー洗浄を行うことで、（特に２０時間経過後において）透過流束を高い値に保つことができた。
【符号の説明】
【００６２】
１  容器
２  中空糸膜
３Ａ、３Ｂ  ポッティング部
４  処理水出口
５  原水入口
６  濃縮水出口
７  透過水室
１０  洗浄部
１１  洗浄水配管
１２  ノズル
１２Ａ  噴出孔
【図１】
0005949834.tif 000002
【図２】
0005949834.tif 000003
【図３】
0005949834.tif 000004
【図４】
0005949834.tif 000005
【図５】
0005949834.tif 000006
【図６】
0005949834.tif 000007
【図７】
0005949834.tif 000008
【図８】
0005949834.tif 000009